(57)【要約】  【課題】装置に特殊な加工処理あるいは複雑な機構を追加することなく、低コストでかつ簡単確実にパンチ穴を消去する画像読取装置および画像形成装置を提供する。  【解決手段】原稿を載置するプラテンガラスと、このプラテンガラスを覆う開閉可能なプラテンカバーと、プラテンガラスに載置された原稿画像を読み取る画像読取部と、を具備し、プラテンカバーを開いたままでプラテンガラスに載置された原稿画像を読み取り、この読み取られた原稿画像から原稿内部と原稿外部との明度及び彩度差により原稿端を検出する原稿端検出手段と、プラテンカバーを開いたままで原稿載置部に載置された原稿画像を読み取り、原稿端の内部にありかつ原稿内部とパンチ穴部との明度及び彩度差によりパンチ穴を検出して当該パンチ穴を消去処理する制御手段とを備えたものである。  【選択図】図１
2007228032.tif 000002
【特許請求の範囲】
【請求項１】
原稿を載置する原稿載置部と、
この原稿載置部を覆う開閉可能なカバーと、
前記原稿載置部に載置された原稿の画像を読み取る画像読取部と
を具備し、
前記カバーを開いたままで前記原稿載置部に載置された原稿の画像を前記画像読取部により読み取り、この読取画像における明度及び彩度差に基づき原稿端を検出して記憶する原稿端検出記憶手段と、
前記カバーを開いたままで前記原稿載置部に載置された原稿の画像を前記画像読取部により読み取り、この読取画像において前記原稿端により画定される原稿領域内での明度及び彩度差に基づきパンチ穴を検出し、当該パンチ穴を消去処理する制御手段と
を備えたことを特徴とする画像読取装置。
【請求項２】
前記原稿領域内に形成され得るパンチ穴の位置情報を予め記憶するパンチ穴位置記憶手段をさらに備え、前記制御手段は、前記パンチ穴の位置情報に適合する所定の領域内から前記パンチ穴を検出することを特徴とする請求項１に記載の画像読取装置。
【請求項３】
前記パンチ穴位置情報は、前記原稿端から所定の範囲に広がる領域の情報であることを特徴とする請求項２に記載の画像読取装置。
【請求項４】
前記パンチ穴消去処理は、検出したパンチ穴を含む所定の範囲内で行うことを特徴とする請求項２乃至請求項３のいずれかに記載の画像読取装置。
【請求項５】
請求項１乃至請求項４のいずれかに記載の画像読取装置を備えた画像形成装置。
【発明の詳細な説明】
【技術分野】
【０００１】
本発明は、原稿のパンチ穴を確実に消去処理する画像読取装置及びこれを備えた画像形成装置に関する。
【背景技術】
【０００２】
従来の画像読取装置および画像形成装置（複写機、ファクシミリ、複合機、等）において、原稿にファイリング用等の穴がパンチ加工されている場合には、そのパンチ穴部を画像有りとして画像読取装置で読み取ってしまい、作業者にとって意図しない不必要で目障りな原稿のパンチ穴の影がそのまま用紙に画像形成されてしまう。また、大量にコピーが取られた場合には無駄なトナー消費が顕著に発生し、無駄な経費を浪費するという問題がある。さらに、パンチ穴の影がそのまま用紙に画像形成されないように原稿をセットし直してコピーのやり直しを行わなければならないといった場合も起こってしまう。
【０００３】
そこで、当該問題を解決するために、スキャナによる原稿読み取りデータから記憶手段に格納されているパンチ穴パターンと照合してパンチ穴を判別し、あるいはスキャナによる原稿読み取りデータから原稿圧板シートあるいは原稿搬送ベルトの画像データレベルによりパンチ穴を判別して、パンチ穴の画像データを消去あるいは中抜きするものがあった。（例えば特許文献１参照）。
【０００４】
また、左右の原稿台の隣接する側の端部付近所定範囲の原稿台上面を明色部として形成し、他の部分を黒色部とすることにより、綴じ部付近にパンチ穴等を有する製本原稿を読み取った場合でも、パンチ穴からは原稿台上の明色部が露光され、読み取り画像においてパンチ穴が黒丸として形成されないものがある（例えば特許文献２参照）。
【０００５】
さらに、プラテンガラスに載置された原稿に被せるカバーの原稿対向面に原稿と色彩の濃度差が少ない色の背面シートを昇降可能に取り付け、プリスキャン時に上昇させれば原稿の周囲に外光が入射して原稿の端部を容易に検出でき、読取スキャン時には下降させればパンチ穴部を黒色とさせないものがある。（例えば特許文献３参照）。
【特許文献１】特開平９−９０４１号公報（第５図、第８図、第９図）
【特許文献２】特開平１１−２２０６０５号公報（第１１図）
【特許文献３】特開２００１−６９３１７号公報（第１図、第２図）
【発明の開示】
【発明が解決しようとする課題】
【０００６】
しかしながら、上記従来の技術においては、以下のような問題が生じる。
【０００７】
スキャナによる原稿読み取りデータを記憶手段に格納されているパンチ穴パターンと照合してパンチ穴を判別する場合は、パンチ穴パターンを記憶するための記憶手段が必要になり、記憶手段に格納されているパンチ穴パターンと照合してパンチ穴を判別する処理が難しくなり誤検出をしやすくなるという問題があった。
【０００８】
また、スキャナによる原稿読み取りデータから原稿圧板シートあるいは原稿搬送ベルトの画像データレベルによりパンチ穴を判別する場合は、原稿圧板シートあるいは原稿搬送ベルトの画像データレベルを原稿の画像データレベルと区別するために原稿圧板シートあるいは原稿搬送ベルトに特別な明色処理が必要になるという問題があった。さらに、左右の原稿台の隣接する側の端部付近所定範囲の原稿台上面を明色部として形成し、他の部分を黒色部とする場合は、原稿台上面を特殊加工する必要があり、装置を複雑にしてコストが増大するという問題があった。
【０００９】
一方、プラテンガラスに載置された原稿に被せるカバーの原稿対向面に原稿と色彩の濃度差が少ない色の背面シートを昇降可能に取り付け、プリスキャン時に上昇させ読取スキャン時に下降させる場合は、カバーの原稿対向面に原稿と色彩の濃度差が少ない色の背面シートを昇降可能に取り付ける必要がり、装置を複雑にしてコストが増大するという問題があった。
【００１０】
即ち、従来の技術は特殊な加工処理あるいは複雑な機構を追加するため、低コストでかつ簡単確実にパンチ穴を消去処理するができないという問題がある。
【００１１】
本発明はかかる問題点に鑑みて為されたもので、装置に特殊な加工処理あるいは複雑な機構を追加することなく、低コストでかつ簡単確実にパンチ穴を消去処理することができる画像読取装置及びこれを備えた画像形成装置を提供することを目的とする。
【課題を解決するための手段】
【００１２】
本発明は、原稿を載置する原稿載置部と、この原稿載置部を覆う開閉可能なカバーと、前記原稿載置部に載置された原稿画像を読み取る画像読取部と、を具備し、前記カバーを開いたままで前記原稿載置部に載置された原稿の画像を前記画像読取部により読み取り、この読取画像における明度及び彩度差に基づき原稿端を検出して記憶する原稿端検出記憶手段と、前記カバーを開いたままで前記原稿載置部に載置された原稿の画像を前記画像読取部により読み取り、この読取画像において前記原稿端により画定される原稿領域内での明度及び彩度差に基づきパンチ穴を検出し、当該パンチ穴を消去処理する制御手段とを備えるようにしたものである。
【発明の効果】
【００１３】
本発明に係る画像読取装置及び画像形成装置によれば、装置に特殊な加工処理あるいは複雑な機構を追加することなく、低コストでかつ簡単確実にパンチ穴を消去することが出来る。
【発明を実施するための最良の形態】
【００１４】
本発明の第１の態様に係る画像読取装置は、原稿を載置する原稿載置部と、この原稿載置部を覆う開閉可能なカバーと、前記原稿載置部に載置された原稿画像を読み取る画像読取部と、を具備し、前記カバーを開いたままで前記原稿載置部に載置された原稿の画像を前記画像読取部により読み取り、この読取画像における明度及び彩度差に基づき原稿端を検出して記憶する原稿端検出記憶手段と、前記カバーを開いたままで前記原稿載置部に載置された原稿の画像を前記画像読取部により読み取り、この読取画像において前記原稿端により画定される原稿領域内での明度及び彩度差に基づきパンチ穴を検出し、当該パンチ穴を消去処理する制御手段とを備えるものである。
【００１５】
これによれば、カバーを開いたままで原稿載置部に載置された原稿の画像を読み取り、この読取画像における明度及び彩度差（即ち、原稿領域内と原稿領域外とに相当する明度及び彩度の差）により原稿端を検出する。次に、再度カバーを開いたままで原稿載置部に載置された原稿の画像を読み取り、前回の原稿画像読取により検出された原稿端により画定される原稿領域内での明度及び彩度差（即ち、パンチ穴部とそれ以外の通常の画像部分とに相当する明度及び彩度の差）によりパンチ穴を検出して当該パンチ穴を消去処理するので、装置に特殊な加工処理あるいは複雑な機構を追加することなく既存の装置だけで、低コストでかつ簡単確実にパンチ穴を消去処理することができる。
【００１６】
本発明の第２の態様に係る画像読取装置は、前記、本発明の第１の態様において、前記原稿領域内に形成され得るパンチ穴の位置情報を予め記憶するパンチ穴位置記憶手段をさらに備え、前記制御手段は、前記パンチ穴の位置情報に適合する領域内から前記パンチ穴を検出することを特徴とするものである。
【００１７】
これによれば、カバーを開いたままで原稿載置部に載置された原稿の画像を読み取り、この読取画像における明度及び彩度差により原稿端を検出する。次に、再度カバーを開いたままで原稿載置部に載置された原稿の画像を読み取り、原稿端により画定される原稿領域内で且つパンチ穴位置情報に適合する領域において、明度及び彩度差によりパンチ穴を検出して当該パンチ穴を消去処理するので、装置に特殊な加工処理あるいは複雑な機構を追加することなく既存の装置だけで、低コストでかつ簡単確実にパンチ穴を消去処理することができる。
【００１８】
また、原稿画像内部にあるパンチ穴の位置情報によりパンチ穴を検出するので、パンチ穴位置情報外にあるパンチ穴と同じ明度及び彩度の画像データを誤検出するのを防止することができる。
【００１９】
本発明の第３の態様に係る画像読取装置は、前記、本発明の第２の態様におけるパンチ穴位置情報が、原稿端から所定の範囲に広がる領域の情報であることを特徴とするものである。
【００２０】
これによれば、パンチ穴位置情報を通常パンチ穴が存在し得る領域（原稿端からパンチ穴が形成される可能性のある位置までを含む所定の範囲）に限定するので、パンチ穴をより確実に検出しかつパンチ穴と同じ明度及び彩度の画像データを誤検出するのを防止することができる。
【００２１】
本発明の第４の態様に関わる画像読取装置は、前記、本発明の第２の態様及至第３の態様のいずれかにおけるパンチ穴消去処理を、検出したパンチ穴を含む所定の範囲内で行うことを特徴とするものである。
【００２２】
これによれば、パンチ穴消去処理を、パンチ穴を含む所定の範囲内で行うことにより、パンチ穴およびパンチ穴の影部を含めてより確実にパンチ穴消去処理を行うことができる。
【００２３】
以下、本発明の一実施の形態について図面を参照して詳細に説明する。
【００２４】
図１（ａ）、（ｂ）は本実施の形態の画像形成装置の外観を示す斜視図である。図１（ａ）は、画像形成装置１００のプラテンカバー１０４を開いた状態を示す外観斜視図である。図１（ａ）において、画像形成装置１００は、記録紙格納部、記録紙搬送部、画像形成部及び画像定着部等を内蔵する装置本体１０１と、画像形成にかかわる各種指示を入力すると共に、指示内容を表示する操作パネル１０２と、原稿を載置する読取面を形成すると共に、読取面に載置された原稿に印刷された画像を読み取る画像読取処理部等を内蔵する画像読取部１０３と、読取面をカバーする開閉可能なプラテンカバー１０４等から構成される。
【００２５】
図１（ｂ）は図１（ａ）の画像読取部１０３及びプラテンカバー１０４の部分を拡大して示す外観斜視図である。図１（ｂ）において、画像読取部１０３の原稿及びブック原稿を載置する読取面には、画像読取部１０３の読取範囲をカバーする透明ガラスで形成されたプラテンガラス１０５が取り付けられている。プラテンガラス１０５を保持する保持枠の図中奥側には、プラテンカバー１０４の開閉状態を検出する開閉検出センサ１０６が設けられている。
【００２６】
また、プラテンガラス１０５の読取面の裏側（裏面）には、原稿サイズを検出する原稿サイズ検出センサ１０７が複数配置されている。なお、図１（ｂ）に示すプラテンガラス１０５の形状は長方形であり、その短辺が画像読取部１０３の主走査方向の読取範囲であり、その長辺が画像読取部１０３の副走査方向の読取範囲である。
【００２７】
次に、画像形成装置１００の装置本体１０１に内蔵される制御系の構成について図２を参照して説明する。図２は、制御系の構成を示すブロック図である。図２において、画像形成装置１００の制御系は、ＣＣＤラインセンサ２０１と、Ａ／Ｄ変換器２０２と、変化点検出回路２０３と、変化点記憶メモリ２０４と、画像マスク回路２０５と、画像処理回路２０６と、画像出力部２０７と、制御操作部２０８と、制御回路部２０９と、から構成される。
【００２８】
以下は、画像形成装置１００としてカラー機について説明するが、白黒機についても同様に本発明を適用可能である。また、画像出力部を除いた制御系より構成される画像読取装置についても本発明を適用可能である。
【００２９】
ＣＣＤ（Charge Coupled Devices）ラインセンサ２０１は、プラテンガラス１０５の短辺である主走査範囲をカバーする１ライン分のＣＣＤラインセンサから構成される。ＣＣＤラインセンサ２０１は、走査機構（図示せず）によりプラテンガラス１０５に載置された原稿サイズに合わせて副走査方向に走査される。原稿に印刷されたカラー画像を主走査幅でライン毎にＲ（赤）、Ｇ（緑）、Ｂ（青）の３色に分けて読み取り、ライン毎に読み取ったＲ、Ｇ、Ｂ画像をＲ、Ｇ、Ｂ画像信号としてＡ／Ｄ変換器２０２に出力する。
【００３０】
Ａ／Ｄ変換器２０２は、ＣＣＤラインセンサ２０１からライン毎に入力されるＲ、Ｇ、Ｂ画像信号を各色の階調数の変化に応じたデジタルデータに変換し、変換後の画像信号を変化点検出回路２０３に出力する。変化点検出回路２０３は、Ａ／Ｄ変換器２０２から入力される画像信号から原稿内の、明度及び彩度の各変化点の座標を検出し、その座標を変化点記憶メモリ２０４に記憶する。
【００３１】
画像マスク回路２０５は、変化点検出回路２０３から入力される画像信号に対してマスク処理を行い、その画像信号を画像処理回路２０６へ出力する。出力画像処理回路２０６は、画像マスク回路２０５から入力される画像信号に対して、シェーディング補正処理、ガンマ補正処理の順に画像処理を行い、画像処理後の画像信号を画像出力部２０７に出力する。
【００３２】
画像出力部２０７は、画像処理回路２０６から入力される画像信号を１ページ分格納するプリンタメモリと、プリンタメモリに格納された画像信号を印刷する画像形成部（図示せず）の動作を制御するプリンタ制御部等から構成される。制御操作部２０８は、図１の操作パネル１０２から入力される画像形成に関わる各種指示に応じて指示信号を制御回路部２０９に出力するとともに、制御回路部２０９から入力される指示内容を表示信号として操作パネル１０２に出力して指示内容を表示させる。
【００３３】
制御回路部２０９は、ＣＰＵ（Central Processing Unit）２１０と、ＲＡＭ(Random Access Memory）２１１と、ＲＯＭ（Read Only Memory）２１２と、から構成される。ＣＰＵ２１０は、ＲＯＭ２１２に記憶された画像形成制御プログラムに基づいて上記各部の画像形成に関わる動作を制御する。また、ＣＰＵ２１０は、ＲＯＭ２１２に記憶されたパンチ穴検出処理プログラムにより、原稿上のパンチ穴座標を算出するとともに、画像マスク回路２０５にパンチ穴マスクパターンを設定することにより、原稿上のパンチ穴を消去した画像信号を作成する。このパンチ穴の消去処理は、検出したパンチ穴を含む所定の範囲内で行うことで、パンチ穴周辺の影部を含めてより確実に消去処理を行うことができる。
【００３４】
ＲＡＭ２１１は、ＣＰＵ２１０が上記各処理を実行する際に上記各処理プログラムを展開するとともに、処理する各種パラメータ等を一時的に記憶するためのワークメモリとして利用される。ＲＯＭ２１２は、上記、画像形成制御プログラム、パンチ穴検出処理プログラムを記憶する。
【００３５】
ここで、パンチ穴のある原稿の、本発明実施前の出力画像と、本発明による効果によりパンチ穴の影響が出力画像から取り除かれた実例を、図３を参照して説明する。図３の（ａ）は、パンチ穴がある原稿が、プラテンカバー１０４を開いた状態で、プラテンガラス１０５に載置された状態を表している。
【００３６】
本発明の実施を行わない既存の処理で、前記パンチ穴のある原稿を読み取り、画像形成を行うと、図３（ｂ）に示したような、パンチ穴の部分が黒くなった出力画像が得られる。図３の（ｃ）は、本発明の実施を行い、原稿のパンチ穴がマスク処理され、出力画像から取り除かれた例である。
【００３７】
図３の例では、原稿の片側に２つのパンチ穴がある場合を実例として取り上げたが、本発明には、パンチ穴の個数について制限はない、また図３の実例の反対側原稿端にパンチ穴がある場合、また原稿の左端、右端ともにパンチ穴がある場合でも、パンチ穴をマスクした出力画像を得ることが可能である。
【００３８】
ここで、パンチ穴のある原稿から得られる画像信号レベルと、それをもとに検出される座標情報について図４から図６を参照して説明する。図４の（ａ）は、パンチ穴がある原稿が、プラテンカバー１０４を開いた状態で、プラテンガラス１０５に載置された状態を表している。
【００３９】
図４の（ａ）のパンチ穴周辺を拡大した図が、図４の（ｂ）である。パンチ穴を含んだ原稿は、ＣＣＤラインセンサ２０１と走査機構により副走査方向に走査される。この時の副走査方向のライン数を図４（ｂ）にＹ ｌｉｎｅ、Ｙ１ ｌｉｎｅ、Ｙ２ ｌｉｎｅ、Ｙ３ ｌｉｎｅ、Ｙ４ ｌｉｎｅとして示す。また、各副走査ラインにおける画像信号レベルを図５（ａ）、（ｂ）、（ｃ）に示す。図５（ａ）、（ｂ）、（ｃ）から明らかなように、プラテンカバー１０４を開いた状態で走査された画像信号レベルは、原稿外、または、パンチ穴の部分で出力レベルが低下する。原稿内の画像信号レベルは、出力レベルが上がる。
【００４０】
変化点検出回路２０３は、画像信号レベルの差を検出して、一定の画像信号レベルの差を検出すると、その座標情報を出力する。変化点記憶メモリ２０４は、変化点検出回路２０３から出力された変化点の座標情報を記憶する。変化点記憶メモリ２０４に記憶される座標情報の様子を示したものが、図６である。
【００４１】
ここで、パンチ穴検出範囲と、パンチ穴認識範囲について、図７を参照して説明する。パンチ穴として認識するのは、原稿右端、または原稿左端から一定範囲内にあるものである。この一定範囲は、図７のＡ（パンチ穴検出範囲）で示される範囲であり、図７のＡの範囲は数値で表され、その数値はＲＯＭ２１２に記憶される。
【００４２】
また、パンチ穴として認識するのは、一定の範囲に収まるものである。この範囲は、図７のａ（パンチ穴認識範囲  主走査）と、ｂ（パンチ穴認識範囲  副走査）であり、図７のａ、ｂの範囲は数値で表され、その数値はＲＯＭ２１２に記憶される。
【００４３】
ＣＰＵ２１０がパンチ穴検出プログラムを実行する際に、図７のＡ、ａ、ｂを表す数値は、ＲＯＭ２１２から読み出され、パンチ穴検出処理のために使用される。
【００４４】
以下、図８から図１０を参照し、説明を行う。ユーザーは、原稿画像読取処理を開始する際に、操作パネル１０２に設けられたコピースタートキーを操作する。制御操作部２０８は、操作パネル１０２からコピースタート指示が入力されると、その指示信号を制御回路部２０９に出力する(S001)。
【００４５】
制御回路部２０９のＣＰＵ２１０は、コピースタート指示信号が入力されるとＲＯＭ２１２に記憶された原稿画像形成処理プログラムを読み出してＲＡＭ２１１に展開し、処理を開始する。ＣＰＵ２１０は、開閉検出センサ１０６から入力される検出信号に基づいてプラテンカバー１０４が開放状態か否かを判別する(S002)。ＣＰＵ２１０は、プラテンカバー１０４が閉状態であると判別した場合は、プラテンカバー１０４を開けたまま実行する開放原稿読取モードではなく、プラテンカバー１０４を閉じてプラテンガラス１０５に原稿を置いて読み取る通常読取モードであると判断し、通常読取モードに移行する(S006)。
【００４６】
また、ＣＰＵ２１０は、プラテンカバー１０４が開状態であると判別した場合は、事前読取モードに移行する(S003)。事前読取モードでは、走査機構の動作を制御してプラテンガラス１０５の読取面を副走査方向に走査させて、読取面に置かれた原稿の画像をＣＣＤラインセンサ２０１に読み取らせる。この時、ＣＣＤラインセンサ２０１は、原稿画像とともにパンチ穴も読み取り、パンチ穴を含む原稿画像信号をＡ／Ｄ変換器２０２に出力する。
【００４７】
Ａ／Ｄ変換器２０２は、入力された原稿画像信号を階調数の変化に応じたデジタルデータに変換し、変換後の画像信号を変化点検出回路２０３に出力する。変化点検出回路２０３は、画像信号の明度及び彩度の変化点を検出し、その座標を、変化点記憶メモリ２０４に記憶する。変化点記憶メモリ２０４に記憶される画像信号の変化点座標には、原稿端の左端座標と、右端座標とともに、パンチ穴の座標も含まれる。
【００４８】
次に、ＣＰＵ２１０は、パンチ穴検出処理プログラムを読み出して、ＲＡＭ２１１に展開して、検出処理を開始する(S004)。この検出処理では、図９及び図１０に示すように、パンチ穴を原稿の左端側、右端側の順に検出処理を実行する(S101)。まず、原稿端を確定するために原稿端部の座標を検索する(S102またはS103)。次に、前記処理で検出された原稿端部より、原稿内部にあり、図７に図示するパンチ穴近傍の原稿端からパンチ穴までを含む方形領域として設定された範囲Ａ（パンチ穴位置情報によるパンチ穴検出範囲）にある座標を抽出し、座標群ＬまたはＲとする(S104またはS105)。
【００４９】
次に、前記座標群ＬまたはＲの中から、近接座標が図７に図示する範囲ａ：パンチ穴認識範囲（主走査）、ｂ：パンチ穴認識範囲（副走査）に収まる座標を抽出し、これを座標群Ｌ#p1、Ｌ#p2、…または、Ｒ#p1、Ｒ#p2、…とし(S106またはS107)、それぞれの座標群に含まれる座標数を計数し、計数結果をカウントａとする(S108、S109)とともに、各座標について、近接座標と１直線上にある、または、同一弧上にある座標を抽出し、この座標数を計数し、計数結果をカウントｂとする(S112またはS113)。
【００５０】
前記の計数結果を用い、カウントａとカウントｂの比率があらかじめ決めれらた割合以上（本実施例の場合は７０％以上）であれば、前記の座標群ＬまたはＲからなる画像領域はパンチ穴であると判断し(S116またはS118)、カウントａとカウントｂの比率があらかじめ決められた割合未満であれば、前記の座標群ＬまたはＲからなる画像領域はパンチ穴でないと判断する(S117またはS119)。パンチ穴であると判断した座標群Ｌよりパンチ穴マスク情報を作成する(S120)。続けて、パンチ穴であると判断した座標群Ｒよりパンチ穴マスク情報を作成する(S121)。これらのパンチ穴マスク情報とは、前記の座標群Ｌの外接となる接線の情報である。
【００５１】
次にＣＰＵ２１０は前記処理により作成したパンチ穴マスク情報を画像マスク回路２０５に設定する。図８に示すように、パンチ穴マスク情報を画像マスク回路２０５に設定することで本処理を終了する(S005)。
【００５２】
次にＲＯＭ２１２に記憶された原稿画像形成処理プログラムを読み出してＲＡＭ２１１に展開し、以下の処理を開始する(S006)。ＣＰＵ２１０は、走査機構の動作を制御してプラテンガラス１０５の読取面を副走査方向に走査させて、読取面に置かれた原稿の画像をＣＣＤラインセンサ２０１により読み取らせる。
【００５３】
ＣＣＤラインセンサ２０１は、原稿画像とともにパンチ穴も読み取り、パンチ穴を含む原稿画像信号をＡ／Ｄ変換器２０２に出力する。Ａ／Ｄ変換器２０２は、入力された原稿画像信号を階調数の変化に応じたデジタルデータに変換し、変換後の画像信号を変化点検出回路２０３に出力する。画像マスク回路２０５は、変化点検出回路２０３から入力された画像信号を、前記処理により設定されたパンチ穴マスク情報に基づいて、パンチ穴画像をマスクしてから画像信号出力する。
【００５４】
前記画像マスク回路で行なわれる処理について、図１１に示すタイミングチャートを参照して説明する。図１１（ａ）は、パンチ穴を含む原稿画像データの具体例を示す図であり、同図（ｂ）は、ＣＰＵ２１０が算出したマスク情報の具体例を示す図である。画像マスク回路２０５は、設定されたマスク情報に基づいて、同図（ａ）の入力画像データのパンチ穴をマスク処理して、同図（ｃ）に示す出力画像を出力する。
【００５５】
画像マスク回路２０５から出力されたパンチ穴をマスクした画像信号は、画像処理回路２０６に入力され、画像処理回路２０６でシェーディング補正処理、ガンマ補正処理の順に画像処理を行い、画像処理後の画像信号を画像出力部２０７に出力する。画像出力部２０７は画像処理回路２０６からの画像信号をプリンタメモリに蓄積し、プリンタ制御によりプリンタメモリに蓄積した画像信号に基づいて画像形成部（図示せず）の動作を制御して記録紙に画像を印刷する。
【００５６】
以上の処理の結果、プラテンガラス１０５に外光が入射する開放原稿読み取りモードにおいて、パンチ穴とともに原稿画像を読み取った場合でも、パンチ穴を取り除いた実際の原稿画像を読み取ることが可能になる。すなわち、図１１の（ａ）のパンチ穴を含んだ原稿画像から、パンチ穴をマスク処理して、同図（ｃ）に示す画像データを出力することが出来る。
【００５７】
以上のように、本実施の形態の画像形成装置では、プラテンカバーを開放してパンチ穴のあるブック原稿等を読み取る開放原稿読み取りモードを利用することにより、画像信号からパンチ穴の座標情報を検出して記憶し、ＣＰＵが実行するプログラムによりこれを解析することにより、パンチ穴のマスク信号を生成するようにした。
【００５８】
したがって、本実施の形態の画像形成装置では、プラテンカバーを開放して原稿画像を読み取る原稿読み取り時に、パンチ穴の座標を検出して、パンチ穴を特定するため、従来のようなセンサの追加、機構の追加を必要とせず、処理プログラムを追加するだけで実現できるため、低コストで画像形成装置の機能と信頼性を向上させることができる。
【産業上の利用可能性】
【００５９】
本発明は、新たなセンサの追加、メカの追加を必要とすることなく、パンチ穴の影響を排除して確実に原稿画像を読み取ることができ、ファクシミリ及びプリンタ等の画像形成装置に適用できる。
【図面の簡単な説明】
【００６０】
【図１】本発明の一実施の形態に係る画像形成装置の外観斜視図であり、（ａ）は装置全体の外観斜視図、（ｂ）は装置上部の外観斜視図
【図２】上記実施の形態に係る画像形成装置の制御系の構成を示すブロック図
【図３】上記実施の形態に係るパンチ穴原稿画像の具体例を示す図
【図４】上記実施の形態に係るパンチ穴座標の具体例を示す図
【図５】各副走査ラインにおける画像信号レベルを示す図
【図６】変化点記憶メモリ２０４に記憶される座標情報の様子を示す図
【図７】上記実施の形態に係るパンチ穴検出範囲を示す図
【図８】上記実施の形態に係る全体制御のフロチャート
【図９】上記実施の形態に係るパンチ穴検出制御のフロチャート
【図１０】上記実施の形態に係るパンチ穴検出制御のフロチャート
【図１１】上記実施の形態に係るパンチ穴マスク制御の具体例を示す図
【符号の説明】
【００６１】
１００  画像形成装置
１０１  装置本体
１０２  操作パネル
１０３  画像読取部
１０４  プラテンカバー
１０５  プラテンガラス
１０６  開閉検知センサ
１０７  原稿サイズ検出センサ
２０１  ＣＣＤラインセンサ
２０２  Ａ／Ｄ変換器
２０３  変化点検出回路
２０４  変化点記憶メモリ
２０５  画像マスク回路
２０６  画像処理回路
２０７  画像出力部
２０８  制御操作部
２０９  制御回路部
２１０  ＣＰＵ
２１１  ＲＡＭ
２１２  ＲＯＭ
【図１】
2007228032.tif 000003
【図２】
2007228032.tif 000004
【図３】
2007228032.tif 000005
【図４】
2007228032.tif 000006
【図５】
2007228032.tif 000007
【図６】
2007228032.tif 000008
【図７】
2007228032.tif 000009
【図８】
2007228032.tif 000010
【図９】
2007228032.tif 000011
【図１０】
2007228032.tif 000012
【図１１】
2007228032.tif 000013